(57)【要約】      （修正有）【課題】柱体の長さを高くしたり低くしたりすることができる複合式柱体を提供する。【解決手段】少なくとも一つの第一管体１０と、第一管体内にスライドで設けられた第二管体２０と、第二管体内にスライドで設けられた少なくとも一つの第三管体３０と、複数の固定部材４０と、からなる。第一管体には複数の第一凹溝１１が設けられ、第一管体内部に複数の第一凸部１２が形成され、第一管体には、少なくとも一つの第一透孔１３が設けられる。第二管体には、複数の第二凹溝２１及び複数の第三凹溝２２が設けられ、第二管体内部には、複数の第二凸部２１１及び複数の第三凸部２２１が形成され、第二管体には少なくとも一つの第二透孔２３が設けられる。第三管体には、複数の第四凹溝３１及び複数の第五凹溝３２が設けられ、第三管体内部は複数の第四凸部３１１及び複数の第五凸部３２１が形成され、第三管体には少なくとも一つの第三透孔３３が設けられる。複数の固定部材は、第一透孔及び第二透孔及び第三透孔にそれぞれ差し込まれる。【選択図】図２
0003208121.tif 000002
【実用新案登録請求の範囲】
【請求項１】
少なくとも一つの第一管体と、少なくとも一つの第二管体と、少なくとも一つの第三管体と、複数の固定部材とからなる複合式柱体であって、
前記第一管体には、複数の第一凹溝が設けられ、それにより前記第一管体内部には複数の第一凸部が形成され、前記第一管体には少なくとも一つの第一透孔が設けられ、
前記第二管体には、複数の第二凹溝及び複数の第三凹溝が設けられ、それにより前記第二管体内部には複数の第二凸部及び複数の第三凸部が形成され、前記第二管体は前記第一管体内に差し込まれ、各前記第二凹溝は各前記第一凸部にスライドして設けられ、前記第二管体には、少なくとも一つの第二透孔が設けられ、
前記第三管体には、複数の第四凹溝及び複数の第五凹溝が設けられ、それにより、前記第三管体内部には、複数の第四凸部及び複数の第五凸部が形成され、前記第三管体は、前記第二管体内に差し込まれ、各前記第四凹溝は、各前記第二凸部にスライドして設けられ、各前記第五凹溝は、各前記第三凸部にスライドして設けられ、前記第三管体には、少なくとも一つの第三透孔が設けられ、
複数の固定部材は、前記第一透孔及び前記第二透孔及び前記第三透孔にそれぞれ差し込まれることを特徴とする、複合式柱体。
【請求項２】
各前記第一凸部及び各前記第二凸部及び各前記第三凸部及び各前記第四凸部及び各前記第五凸部は、それぞれ相互に対応することを特徴とする、請求項１に記載の複合式柱体。
【請求項３】
各前記第一凹溝及び各前記第二凹溝及び各前記第三凹溝及び各前記第四凹溝及び各前記第五凹溝内の両側は、所定の夾角を備え、前記所定の夾角の角度の範囲は７０〜８０度であることを特徴とする、請求項１に記載の複合式柱体。
【請求項４】
前記第二凹溝の幅は、各前記第一凸部の幅より大きく、各前記第四凹溝の幅は、各前記第二凸部の幅より大きく、各前記第五凹溝の幅は、各前記第三凸部の幅より大きいことを特徴とする、請求項３に記載の複合式柱体。
【考案の詳細な説明】
【技術分野】
【０００１】
本考案は柱体に関し、特に街灯柱、電柱や運動場を照らす照明設備に適用できる伸縮可能な複合式柱体に関する。
【背景技術】
【０００２】
街灯と電柱が使用されはじめてから久しい。新しい機能（例えば、太陽エネルギー蓄電の構築、或は、Ｗｉ−Ｆｉのホットスポット等の機能）が次第に増えてはいるものの、街灯と電柱の構造は数十年來全く変わっていない。現在の街灯と電柱は、構造上いずれも固定の長さとサイズであるが、各地に設置された街灯と電柱は、環境や地形などの要素の影響の違いにより、異なる長さを製作する必要がある。従って、製造コストが往々にして高くなり、しかも異なるサイズの街灯や電柱は他で使用ができないため、今ある街灯や電柱があったとしても意味がなく別途生産しなければならず、製造コストが高くなるだけでなく効率が悪い。
【０００３】
同じ長さの街灯や電柱でも地形の影響（例えば、山の斜面の地形）を受け、地形は街灯や電柱の高さにも影響してくる。さらには、電線ケーブルを敷設する難易度にも影響するため、従来の街灯や電柱は改善の必要がある。
【考案の概要】
【考案が解決しようとする課題】
【０００４】
本考案は、ニーズ（地形と周辺環境などを含めた要素）に応じて柱体の長さを高くしたり低くしたりすることができ、すぐに今ある街灯や電柱に合わせることができ、別途生産するコストが必要なく、コストを節約できる複合式柱体を提供することを目的とする。
【課題を解決するための手段】
【０００５】
本考案による複合式柱体は、少なくとも一つの第一管体と、第一管体内にスライドで設けられた第二管体と、第二管体内にスライドで設けられた少なくとも一つの第三管体と、複数の固定部材と、からなる。その内、前記第一管体には複数の第一凹溝が設けられ、それにより、前記第一管体内部に複数の第一凸部が形成され、前記第一管体には、少なくとも一つの第一透孔が設けられる。前記第二管体には、複数の第二凹溝及び複数の第三凹溝が設けられ、それにより、前記第二管体内部には、複数の第二凸部及び複数の第三凸部が形成され、前記第二管体には少なくとも一つの第二透孔が設けられる。前記第三管体には、複数の第四凹溝及び複数の第五凹溝が設けられ、それにより前記第三管体内部は複数の第四凸部及び複数の第五凸部が形成され、前記第三管体には少なくとも一つの第三透孔が設けられる。複数の固定部材は、前記第一透孔及び前記第二透孔及び前記第三透孔にそれぞれ差し込まれる。それによって、第三管体及び第二管体は、それぞれ第二管体及び第一管体内でスライド移動させることができ、伸縮させて、更に固定部材を利用して第三管体と第二管体の長さを固定することができる。
【考案の効果】
【０００６】
本考案による複合式柱体は伸縮させることができるため、組み立てしていない時（伸ばしてない時）は、長さが短くスペースを節約することができる、運送に便利である。
【０００７】
本考案による複合式柱体は、街灯や電柱の他に、本考案による複合式柱体は運動場（例えば、バスケットボール場や野球場）の照明設備にも使用することができる。
【図面の簡単な説明】
【０００８】
【図１】本考案の立体外観図である。
【図２】本考案の立体分解図である。
【図３】本考案の使用状態図である。
【図４】本考案の各管体俯瞰図である。
【考案を実施するための形態】
【０００９】
図１から図３に示すように、本考案による複合式柱体１は、少なくとも一つの第一管体１０と、少なくとも一つの第二管体２０と、少なくとも一つの第三管体３０と、からなる。
【００１０】
第一管体１０には、複数の第一凹溝１１が設けられ、それにより、前記第一管体１０内部には複数の第一凸部１２が形成され、前記第一管体１０には少なくとも一つの第一透孔１３が設けられる。
【００１１】
第二管体２０には、複数の第二凹溝２１及び複数の第三凹溝２２が設けられ、それにより、前記第二管体２０内部に複数の第二凸部２１１及び複数の第三凸部２２１が形成される。前記第二管体２０は、前記第一管体１０内に差し込まれ、各前記第二凹溝２１は、各前記第一凸部１２にスライドして設けられ、前記第二管体２０には少なくとも一つの第二透孔２３が設けられる。
【００１２】
第三管体３０は、複数の第四凹溝３１及び複数の第五凹溝３２が設けられ、それにより、前記第三管体３０内部に、複数の第四凸部３１１及び複数の第五凸部３２１が形成され、前記第三管体３０は、前記第二管体２０内に差し込まれ、各前記第四凹溝３１は、各前記第二凸部２１１にスライドして設けられ、各前記第五凹溝３２は各前記第三凸部２２１にスライドして設けられ、前記第三管体３０には少なくとも一つの第三透孔３３が設けられる。
【００１３】
上述した各前記第一凸部１２、各前記第二凸部２１１、各前記第三凸部２２１、各前記第四凸部３１１、各前記第五凸部３２１はそれぞれが相互に対応する。
【００１４】
各前記第二凹溝２１の幅は、各前記第一凸部１２の幅より大きく、各前記第四凹溝３１の幅は、各前記第二凸部２１１の幅より大きく、各前記第五凹溝３２の幅は、各前記第三凸部２２１の幅より大きい。上述した第一凹溝１１から第五凹溝３２は、構造強度を高め、受けた力を分散し、且つ風力、気候やその他の要素の影響を受けた時、第一凹溝１１から第五凹溝３２と、第一凸部１２から第五凸部３２１の間の係止がさらに緊密になり、それにより、簡単には変形やねじ曲がり、断裂が起こらず、安全性が高まる。また、事後、技術者に、器具で固定して登ってライトを取り付けてもらうことができる。また、第一管体１０から第三管体３０は、環境や施工のニーズに応じて、各色のペインティングを行うことや、より適切な材料を使用することができる。
【００１５】
図４に示すように、各前記第一凹溝１１及び各前記第二凹溝２１及び各前記第三凹溝２２及び各前記第四凹溝３１及び各前記第五凹溝３２内の両側は、所定の夾角θを備え、前記所定の夾角θの角度の範囲は７０〜８０度である。
【００１６】
図２と図３を参照する。固定部材４０は、前記第一透孔１３及び前記第二透孔２３及び前記第三透孔３３にそれぞれ差し込まれる。
【００１７】
図２と図３に示すように、第二管体２０は第一管体内に差し込まれ、第三管体３０は第二管体２０内に差し込まれる。従って、第二管体２０と第三管体３０は伸縮させることができ、使用者は自分で必要な長さに伸ばした後、固定部材４０を第一透孔１３及び前記第二透孔２３及び前記第三透孔３３に差し込むことで固定することができる。固定部材４０は、ボルトやネジである。
【００１８】
本考案による複合式柱体１は、電柱や街灯柱として使用することができ、従来の固定の長さの電柱及び街灯柱の代替になる。本考案による複合式柱体１は、第二管体２０と第三管体３０の伸縮特性を利用し、各種高さ及び地形に適用することができるとともに、メンテナンスが必要な時、第二管体２０及び第三管体３０を収縮させることで高さを低くすることができるため、メンテナンスに便利である。
【符号の説明】
【００１９】
１      複合式柱体
１０    第一管体
１１    第一凹溝
１２    第一凸部
１３    第一透孔
２０    第二管体
２１    第二凹溝
２１１  第二凸部
２２    第三凹溝
２２１  第三凸部
２３    第二透孔
３０    第三管体
３１    第四凹溝
３１１  第四凸部
３２    第五凹溝
３２１  第五凸部
３３    第三透孔
４０    固定部材
【図１】
0003208121.tif 000003
【図２】
0003208121.tif 000004
【図３】
0003208121.tif 000005
【図４】
0003208121.tif 000006